(57)【要約】【課題】  本考案は釣糸等を巻取りながら定長測長または長さ測定し、絡みつき等のトラブルを防止する。【解決手段】  ディジタルカウンター５の回転軸に繋合された円筒状糸車６（以下、糸車という）の前後に波形スリット４ａまたはゴム等スリット１２ｂを配設し、糸巻２に巻かれた釣糸等の一端を引き出して該釣糸等を前方のスリットに挟持させ、糸車に１〜２回巻きつけた後、後方のスリットに挟持させ、該釣糸等を所要の糸巻や仕掛巻に巻取ることによって該糸車を駆動させてディジタルカウンターの回転軸を回転せしめ、その表示数字から糸の巻取り長さが分かるようにした釣糸等の定長測長または長さ測定のための器具で釣糸等の絡みつきを防止できるとともにより正確な定長測長または長さ測定が可能である。【選択図】図１
0003133149.tif 000002
【実用新案登録請求の範囲】
【請求項１】
ディジタルカウンターの回転軸に繋合された円筒状糸車（以下、糸車という）の前後に波形スリットもしくはゴム等スリットを配設し、糸巻等に巻かれた釣糸等の一端を引き出して該釣糸等を前方のスリットに挟持させ、糸車に１〜２回巻きつけた後、後方のスリットに挟持させ、該釣糸等を所要の糸巻や仕掛巻に巻取ることによって糸車を駆動させてディジタルカウンターの回転軸を回転せしめ、その表示数字から糸の巻取り長さが分かるようにした釣糸等の定長測長または長さ測定のための器具
【考案の詳細な説明】
【技術分野】
【０００１】  本考案は、釣糸その他の糸および糸状細線（以下、釣糸等という）の定長測長または長さ測定に関するものであり、糸巻その他の状態で購入してきた釣糸等を、糸巻等に巻取りながら、絡みつき等のトラブルを生ずることなくそれぞれの用途に適した長さにカットするために測長（以下、定長測長という）し、または与えられた釣糸等の長さを測定するための器具に関する。
【背景技術】
【０００２】  例えば、鮎釣りの釣糸仕掛けは空中糸（天上糸ともいう）と水中糸からなり、それぞれ５０ｍ（ナイロン糸）とか１２ｍ（メタル糸）の長さで糸巻に巻かれた状態で市販されているものを４〜５ｍ程度に定長測長してそれらを結んで作られる。とくに水中糸は水中抵抗を減らすことによっておとり鮎に対する負担をできるだけ軽減するために、０．１号とか０．２号とかの極力細いものを使用することが多い。しかるに現状における釣糸の定長測長は、作業台等に５０ｃｍとか１ｍとかの所定の長さの目印をつけておいて、それに釣糸を合わせ、その合わせ数で行う方法（以下、目印測長という）や定長測長者の両手に釣糸をもって両腕を広げ、その回数で行う方法（以下、両腕測長という）が採られている。目印測長や両腕測長では、釣糸は一時的にせよ巻取られることなく放置されるため、その後これを所定の糸巻や仕掛巻に巻取ろうとすると、互いに絡みつき易く、一旦絡みつきが発生してしまうと、釣糸が細く見え難いため、その修復は極めて困難となり、せっかく定長測長した釣糸を廃棄せざるを得なくなる。このような不都合は糸が細くなればなる程、益々顕著となる。
関連する公知技術としては、特開平５−１３７４８６（特願平３−３０５７７８）「釣り用リール」があるが、該関連公知技術はその目的が「誤操作が少なく、又、誤動作によっては学習動作を開始しない釣り用リールの構成」となっており、本考案の目的である釣糸等の定長測長または長さ測定とはその目的を異にしている。また、該関連公知技術は目的達成の手段として「スプール回転量を求めるセンサからのデータと、記憶手段とのデータで釣糸の繰り出し量を求めて出力し、又、リールに装着した糸長さ計測器のデータと、センサのデータとを所定のデータに変換し、記憶手段に書き込む動作を行うよう釣り用リールを構成する。」としているので、それを実現するにはセンサや記憶装置、計算手段（ＣＰＵ）等の高価な電子デバイスが必要になる。因みに、本考案ではディジタルカウンターと自作の波形スリットやゴム等で作られた高摩擦係数材料スリット（以下、ゴム等スリットという）を用いるだけで目的とする器具を製作できるので非常に簡便で安価である。
【考案の開示】
【考案が解決しようとする課題】
【０００３】  釣の仕掛けづくりにおいて、釣糸の定長測長は欠かせない作業であるが、目印測長や両腕測長のような従来の方法では、糸の絡みつき等のトラブルに対して何らの防止策がなく、測長の正確さにも欠けるのが難点で、本案考案者をはじめ多くの釣人の悩みの種であった。
本考案は釣糸等の定長測長または長さ測定時において絡みつき等のトラブルがなく、従来方法より正確な測長が可能で、簡便かつ安価な定長測長または長さ測定のための器具を提供する。
【課題を解決するための手段】
【０００４】  本考案はディジタルカウンターの回転軸に繋合された円筒状糸車（以下、糸車という）の前後に波形スリットもしくはゴム等スリットを配設し、糸巻等に巻かれた釣糸等の一端を引き出して前方のスリットに挟持させた後、該糸車に１〜２回巻きつけたあと、後方のスリットに挟持させてその一端から所要の糸巻や仕掛巻に巻取りながら該糸車を駆動させてディジタルカウンターの回転軸を回転せしめ、その表示数字から釣糸等の巻取り長さが分かるようにしたものである。すなわち、波形スリットもしくはゴゴム等スリットで釣糸等を挟持させることによって釣糸等に所定の張力を生じさせて糸車への巻つき状態を保持するとともに、該釣糸等が引っ張られた時に糸車表面と釣糸等との間に所定の摩擦力を発生させて該糸車を駆動させる。
【考案の効果】
【０００５】  釣糸等の定長測長や長さ測定を行う場合、本考案によって、従来のような釣糸等の絡みつきによるトラブルが解消され、それらトラブルによる費用と時間の浪費を解消できる。また本考案においては、測長値はディジタル表示で正確に表示されるので測長精度は従来方法に比べてはるかに良好となる。
【考案を実施するための最良の形態】
【０００６】  ディジタルカウンターの回転軸に繋合された糸車を回転させるには糸車表面と釣糸等との間に該糸車を回転させるのに必要な摩擦力を発生させる必要がある。そのためには釣糸等を該糸車に１〜２回巻つけるとともに、その状態において釣糸等に所定の張力を存在させる必要がある。
その方法として、本考案においては、釣糸等が巻きつけられる糸車の前後に波形スリットもしくはゴム等スリットを配置し、該釣糸等を該スリットで挟持させて釣糸等に張力を発生させて糸車表面と釣糸等との間に所要の摩擦力を生じさせて糸車を駆動させる。
なお、本考案で用いるディジタルカウンターは機械式でも電気式でもどちらでも良いが、価格、簡便さ、堅牢さなどの点から機械式が有利である。
【実施例１】
【０００７】  以下、添付図面に従って実施例１について説明する。
図１に示すように、釣糸等１は糸巻２に巻かれた状態で購入され、これが傾斜つき糸巻台３に置かれる。該釣糸等の一端が引き出され、前方スリット台４に形造された波形スリット４ａに挟持される。該波形スリット４ａは、図３の１１に示されるように、釣糸等が波形スリット４ａの上方から容易に挿入可能ならしめるために適度の傾斜角を有するように造られる。また、図１の波形スリット部の拡大図に示すように該波形スリット４ａは該釣糸等が挟持されたとき該釣糸等が所定の屈曲を保つように造られることによって該釣糸等と該波形スリット表面に所定の摩擦力が確保される。
釣糸等１はディジタルカウンター５の回転軸５ａに繋合された糸車６に所定の方向で１〜２回巻きつけられる。すなわち、該ディジタルカウンターの回転軸５ａが右回転したときにディジタル表示数字が増加する構造のものであれば該釣糸等は該糸車６の下方から右巻方向に巻きつけられ、該釣糸等が引っ張られたときディジタル表示数字が増加するような巻き方とする。
このようにして、糸車６に１〜２回巻きつけられた釣糸等の一端は引き出され、後方の波形スリット台４に形造された波形スリット４ａに挟持される。【０００８】  後方の波形スリット４ａに挟持された釣糸等を適当な長さに引き出し、該釣糸等上に任意の基準点７を想定し、該基準点７を空間上の任意の基準点に一致させる。それを測長の開始点としてディジタルカウンターのリセットボタン５ｂを押して表示数字をすべて「０」にする。例えば、図１および図２に示すように、定長測長等器具本体８の左端８ａを空間上の任意の基準点と想定したとき、その点を該釣糸等上の任意の基準点７と想定する。【０００９】  例えば、回転軸が１回転したとき「００１０」と表示されるディジタルカウンターを用いて、その周長が１００ｍｍ、すなわち直径が約３１．８ｍｍの糸車を用いたとき、釣糸等の駆動作用によってディジタル表示が「００００」から「０１２３」となったとすると、該釣糸等の通過量は（１２３−０）÷１０×１００＝１２３０ｍｍ＝１２３ｃｍとなる。したがってこの場合はディジタルカウンターで表示された数字にｃｍをつければ該釣糸等の通過量すなわち測長値となる。また、釣糸等を５ｍすなわち５００ｃｍに測長したい場合は、ディジタルカウンターの数字をリセットして「００００」にしておいて、ディジタル表示が「０５００」になるまで該釣糸等を引いて糸車を回転させれば良い。
本実施例において、引き出された釣糸等は所要の糸巻や仕掛巻にそのまま巻取ることができるので、釣糸等の絡みつき等によるトラブルを回避できる。【００１０】  また、海釣り用釣糸等のように、釣糸等がより太くなったときは糸車への巻きつけ状態を保つために、より大きな直径の糸車が必要となるが、例えば、前述の例の倍の直径、すなわち周長も倍である２００ｍｍの糸車を用いる必要があるときは、歯車やその他の変速手段を用いてディジタルカウンターの回転数を糸車の回転数の２倍に変速させればよい。【００１１】  糸巻２に巻かれた状態で購入された釣糸等は、所要の傾斜角をもった糸巻台３に所定の深さで削溝された糸巻台溝３ａに置かれ、該糸巻２が一定の位置に保持されながら釣糸等が引っ張られると糸巻自身の重力で自動的に巻きが解かれるようになっている。また、図１の９は定長測長等器具本体８と糸巻台３を着脱自由連結するための連結溝で、図２の１０は定長測長等器具本体８の底部に配設されるすべり止であり、ゴム、ウレタン樹脂、シリコン樹脂等の高摩擦係数材料で作られる。
【実施例２】
【００１２】  実施例１は釣糸等の張力を確保する手段として波形スリットを用いるものであるが、本例は波形スリットの代わりにゴム等スリットを用いるものである。図４において糸巻台３に置かれた糸巻２から引き出された釣糸等１は前方のゴム等スリット台１２の内側に配設されたゴム等材料１２ａに釣糸等の直径と同程度の隙間で裂設されたゴム等スリット１２ｂに挟持され、糸車６に１〜２回巻きつけられた後、後方のゴム等スリット台１２の内側に配設されたゴム等材料１２ａに釣糸等径と同程度の隙間で裂設されたスリット１２ｂに挟持されることによって該釣糸等１に所要の張力が確保される。図６における１３は該釣糸等１をゴム等スリット１２ｂに挟持させ易くするための傾斜角である。
【図面の簡単な説明】
【０００１３】
【図１】波形スリットを用いた実施例１の平面図である。また、図１には該波形スリット部の拡大図も示す。
【図２】波形スリットを用いた実施例１の立面図である。
【図３】波形スリットを用いた実施例１の左側面図である。
【図４】ゴム等スリットを用いた実施例２の平面図である。また、図４には該ゴム等スリット部の拡大図も示す。
【図５】ゴム等スリットを用いた実施例２の立面図である。
【図６】ゴム等スリットを用いた実施例２の左側面図である。
【符号の説明】
【００１４】１  釣糸等
２  糸巻
３  糸巻台
３ａ  糸巻台溝
４  波形スリット台
４ａ  波形スリット
５  ディジタルカウンター
５ｂ  ディジタルカウンターのリセットボタン
６  糸車
７  釣糸等の想定基準点
８  定長測長等器具本体
８ａ  定長測長等器具本体の左端
９  定長測長等器具本体と糸巻台を着脱自由連結するための連結溝
１０  定長測長等器具本体のすべり止め
１１  釣糸等を波形スリットの上方から容易に挿入可能ならしめるための傾斜角
１２  ゴム等スリット台
１２ａ  ゴム等材料
１２ｂ  ゴム等スリット
１３  釣糸等をゴム等スリットに挟持させ易くするための傾斜角
【図１】
0003133149.tif 000003
【図２】
0003133149.tif 000004
【図３】
0003133149.tif 000005
【図４】
0003133149.tif 000006
【図５】
0003133149.tif 000007
【図６】
0003133149.tif 000008